(57)【要約】アナログ電気量が入力されディジタル信号に変換する入力回路（１１）、変換されたディジタル信号を用いて各種の演算処理を実行する演算処理部（２１）、演算処理部（２１）の判定結果に基づいて開閉器を動作させる動作信号を生成して出力する出力回路（３１）、入力回路（２１）から入力された操作部（８１１）あるいは外部機器からの入力表示項目に対応して演算処理部（２１）の出力を表示する表示部（５１）、入力回路（２１）に入力された操作部（８１１）あるいは外部機器からの入力表示項目及び時刻を記録し保存する記憶部（２３）を備え、表示部（５１）の表示項目が変化した場合に、初期に設定した表示項目及び時刻と記憶部（２３）に保存された最新の表示項目及び時刻との比較を行う。
2019171583.tif 000002
【特許請求の範囲】
【請求項１】
入力されるアナログ電気量をディジタル信号に変換し、当該ディジタル信号を用いて演算処理を実行する演算処理部を備えたディジタル形保護継電装置であって、
前記演算処理部の判定結果に基づいて遮断器を動作させる動作信号を生成して出力する出力回路と、
操作部からの入力または外部機器からの入力により表示項目の設定が行われ、前記設定された表示項目に応じて前記演算処理部からの出力を表示する表示部と、
自身の動作状況を示すランプ部と、を備え、
前記演算処理部は、
前記操作部からの入力または前記外部機器からの入力により前記表示項目の設定がされた場合、前記設定された表示項目で所定時間経過後に、前記表示項目の設定内容と入力時刻を記録し、
前記操作部からの入力または前記外部機器からの入力により前記遮断器の動作信号が生成された場合、前記操作部からの入力または前記外部機器からの入力時刻を記録することを特徴とするディジタル形保護継電装置。
【請求項２】
前記演算処理部は、前記表示部への表示項目の設定信号が生成されて前記表示部の表示項目を変更する場合に、変更時刻と変更後の前記表示項目とを記録することを特徴とする請求項１に記載のディジタル形保護継電装置。
【請求項３】
前記演算処理部は、前記ランプ部の点灯信号が生成されて前記ランプ部の点灯状態を変更する場合に、変更時刻と変更後の点灯状態とを記録することを特徴とする請求項１または２に記載のディジタル形保護継電装置。
【請求項４】
前記演算処理部は、判定結果により前記出力回路で動作信号が生成され、前記遮断器が動作した時の時刻と前記判定結果を記録することを特徴とする請求項１から３のいずれか１項に記載のディジタル形保護継電装置。
【請求項５】
入力されるアナログ電気量をディジタル信号に変換し、当該ディジタル信号を用いて演算処理を実行する演算処理部と、前記演算処理部の判定結果に基づいて遮断器を動作させる動作信号を生成して出力する出力回路と、操作部からの入力または外部機器からの入力により表示項目の設定が行われ、前記設定された表示項目に応じて前記演算処理部からの出力を表示する表示部と、自身の動作状況を示すランプ部とを備えたディジタル形保護継電装置の動作方法であって、
前記操作部からの入力または前記外部機器からの入力により前記表示項目が設定され、前記設定された表示項目で所定時間経過後に前記表示項目の設定内容と入力時刻を記録し、
前記操作部からの入力または前記外部機器からの入力により前記遮断器の動作信号が生成された場合、前記動作信号の生成時刻を記録し、
前記ディジタル形保護継電装置の被保護機器が故障でなく、前記表示部において設定された表示項目が変化した場合、記録された前記表示項目の設定内容と入力時刻を読み出し、
前記ディジタル形保護継電装置の被保護機器が故障でなく、前記ランプ部の点灯状態が変化した場合、記録された前記遮断器の動作信号の生成時刻を読み出すことを特徴とするディジタル形保護継電装置の動作方法。
【発明の詳細な説明】
【技術分野】
【０００１】
本願は、配電盤等に搭載されるディジタル形保護継電装置及びその動作方法に関する。
【背景技術】
【０００２】
ディジタル形保護継電装置は、電力系統の事故および電力系統における被保護機器の故障（以下両者を併せて「故障等」と総称する）を検出して遮断器等に具備される開閉器を遮断し、被保護機器を保護する機器である。
ディジタル形保護継電装置は、継電器回路がケースに収納され、前面に操作パネルを有する。操作パネルには、計測値等の表示信号及び異常を表示する信号等が表示され、切り替えスイッチ等により、表示したい特定信号、例えば電流および電圧のリアルタイム計測値等が表示される。【０００３】
従来のディジタル形保護継電装置は、電力系統における故障等を検出した場合、故障等の区間を開放・局限化するために遮断器等の開閉器に遮断信号を出力すると共に、動作した保護要素および該当する相の情報を動作表示器にて表示する。この際、保守・運用者は、故障等の発生時及び保守点検時にディジタル形保護継電装置の動作表示器により動作状態の確認を行う。
しかし、故障等以外の人為的操作等を行ったことに起因する停電を生起させた場合、ディジタル形保護継電装置が故障していないにも関わらず、誤って故障していると判断され、不要な原因究明および健全性の確認試験等を余儀なくされることがあった。【０００４】
上記の課題に対し、出願人は、操作パネルに稼働中の動作と稼働開始時にメモリに記録された動作記録とを表示する表示部を設けることで、故障等以外の人為的操作等に起因する停電を生起させた場合であっても、停電による動作表示器の復帰忘れなのか、故障等による動作であるのかの区別・判断が可能なディジタル形保護継電装置を提案している（特許文献１参照）。
また、故障等発生時刻から所定時刻経過までの複数の時系列データを格納し、指定された時刻のデータを表示する保護リレー装置が開示されている（特許文献２参照）。
【先行技術文献】
【特許文献】
【０００５】
【特許文献１】特開２０１０−２７３５１５号公報
【特許文献２】特開２０１１−１３９５５４号公報
【発明の概要】
【発明が解決しようとする課題】
【０００６】
上述のように従来のディジタル形保護継電装置は、故障等及び停電をトリガーとし、動作が記録されていた。そのため、故障または停電に至らないが表示部またはアラームランプの状態が変化した場合あるいはディジタル形保護継電装置自身の入出力接点が動作した場合においては、それが人為的操作によるものか、装置の異常動作によるものかその発生原因を確認することが困難であった。【０００７】
本願は、上記の課題を解決するための技術を開示するものであり、ディジタル形保護継電装置の表示部の表示内容の変化及びランプの点灯状態の変化（以下、表示変化と称す）が人為的操作によるものか、ディジタル形保護継電装置自身の異常動作によるものかを確認可能なディジタル形保護継電装置を提供することを目的とする。
【課題を解決するための手段】
【０００８】
本願に開示されるディジタル形保護継電装置は、入力されるアナログ電気量をディジタル信号に変換し、当該ディジタル信号を用いて演算処理を実行する演算処理部を備えたディジタル形保護継電装置であって、前記演算処理部の判定結果に基づいて遮断器を動作させる動作信号を生成して出力する出力回路と、操作部からの入力または外部機器からの入力により表示項目の設定が行われ、前記設定された表示項目に応じて前記演算処理部からの出力を表示する表示部と、自身の動作状況を示すランプ部と、を備え、前記演算処理部は、前記操作部からの入力または前記外部機器からの入力により前記表示項目の設定がされた場合、前記設定された表示項目で所定時間経過後に、前記表示項目の設定内容と入力時刻を記録し、前記操作部からの入力または前記外部機器からの入力により前記遮断器の動作信号が生成された場合、前記操作部からの入力または前記外部機器からの入力時刻を記録するものである。【０００９】
本願に開示されるディジタル形保護継電装置の動作方法は、入力されるアナログ電気量をディジタル信号に変換し、当該ディジタル信号を用いて演算処理を実行する演算処理部と、前記演算処理部の判定結果に基づいて遮断器を動作させる動作信号を生成して出力する出力回路と、操作部からの入力または外部機器からの入力により表示項目の設定が行われ、前記設定された表示項目に応じて前記演算処理部からの出力を表示する表示部と、自身の動作状況を示すランプ部とを備えたディジタル形保護継電装置の動作方法であって、前記操作部からの入力または前記外部機器からの入力により前記表示項目が設定され、前記設定された表示項目で所定時間経過後に前記表示項目の設定内容と入力時刻を記録し、前記操作部からの入力または前記外部機器からの入力により前記遮断器の動作信号が生成された場合、前記動作信号の生成時刻を記録し、前記ディジタル形保護継電装置の被保護機器が故障でなく、前記表示部において設定された表示項目が変化した場合、記録された前記表示項目の設定内容と入力時刻を読み出し、前記ディジタル形保護継電装置の被保護機器が故障でなく、前記ランプ部の点灯状態が変化した場合、記録された前記遮断器の動作信号の生成時刻を読み出すことを特徴とするものである。
【発明の効果】
【００１０】
本願に開示されるディジタル形保護継電装置及びディジタル形保護継電装置の動作方法によれば、操作部または外部機器から設定した入力情報と入力時刻を記録するようにしたので、ディジタル形保護継電装置の表示変化が人為的操作によるものか否かの判断が可能となる。
【図面の簡単な説明】
【００１１】
【図１】実施の形態１に係るディジタル形保護継電装置の概略構成を示すブロック図である。
【図２】実施の形態１に係るディジタル形保護継電装置の操作パネルを示す外観図である。
【図３】本実施の形態１に係るディジタル形保護継電装置の操作部の入力処理の記録手順を示すフローチャートである。
【図４】本実施の形態１に係るディジタル形保護継電装置への外部機器からの入力処理の記録手順を示すフローチャートである。
【図５】本実施の形態１に係るディジタル形保護継電装置への遮断器動作に関する入力処理の記録手順を示すフローチャートである。
【図６】本実施の形態２に係るディジタル形保護継電装置の表示項目変更の記録手順を示すフローチャートである。
【図７】本実施の形態２に係るディジタル形保護継電装置の接点出力の信号が生成された時の記録手順を示すフローチャートである。
【発明を実施するための形態】
【００１２】
以下、本実施の形態について図を参照して説明する。なお、各図中、同一符号は、同一または相当部分を示すものとする。
【００１３】
実施の形態１．
図１は、実施の形態１に係るディジタル形保護継電装置１の概略構成を示すブロック図である。図２は、ディジタル形保護継電装置１の操作パネル８１の外観図である。
図において、ディジタル形保護継電装置１は、被保護機器からの電流及び電圧等のアナログ電気量が入力されディジタルに変換する入力回路１１、操作パネル８１の操作部８１１を動作した時の信号および外部機器からの信号を接点入力する場合その信号を入力する入力回路１２、入力回路１１で変換されたディジタル信号に対し所定の演算処理を行う演算処理部２１、演算処理部２１の判定結果により継電器（Ｒｙ）４１への動作信号の出力を行う出力回路３１、演算処理部２１の出力により被保護機器の状態を表示する表示部５１、演算処理部２１の出力により被保護機器の状態に対応したディジタル形保護継電装置１の動作状況を示すランプ部６１、演算処理部２１と外部の監視装置２との間でデータの送受信を行う通信回路７１を備えている。
【００１４】
演算処理部２１は、演算処理装置として、ＣＰＵ（Ｃｅｎｔｒａｌ  Ｐｒｏｃｅｓｓｉｎｇ  Ｕｎｉｔ）が備えられている。なお、演算処理装置として、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＩＣ（Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）等各種の論理回路、及び各種の信号処理回路等が備えられてもよい。記憶装置２３は、演算処理部２１とデータのやり取りを行い、演算処理部２１からデータを読み出し及び書き込みが可能に構成されたＲＡＭ（Ｒａｎｄｏｍ  Ａｃｃｅｓｓ  Ｍｅｍｏｒｙ）、演算処理部２１からデータを読み出し可能に構成されたＲＯＭ（Ｒｅａｄ  Ｏｎｌｙ  Ｍｅｍｏｒｙ）等が備えられている。また、記憶装置２３は少なくとも不揮発性メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を備え、後述する入力回路１２から入力された信号及び状態変化の情報等を記憶させる。
演算処理部２１は、入力回路１１からのディジタル信号を用いて各種の演算処理を行い、被保護機器（図示省略）の故障等を検出し、図示しない遮断器等を動作させるか否かの判定（動作判定）を行う。また、入力回路１２から入力された信号により、表示部５１への表示信号およびランプ部６１への点灯信号を生成して出力する。
出力回路３１は、演算処理部２１の動作判定結果に基づき、遮断器に具備された開閉器を動作させるための動作信号を継電器４１に出力する。
外部の監視装置２はＰＣ（パーソナルコンピュータ）等から構成され、１つあるいは複数のディジタル形保護継電装置１に接続され、演算処理部２１の情報を適宜受信するとともにディジタル形保護継電装置１の動作状況を監視する。この外部の監視装置２とディジタル形保護継電装置１との接続は、ケーブルを用いてもよいし、無線を用いてもよい。複数のディジタル形保護継電装置１との間にネットワークを構成してインターネットを介した接続であってもよい。
【００１５】
次に、図２を用いて操作パネル８１の例について説明する。操作パネルは例えば液晶画面からなる表示部５１、スイッチまたはつまみ等から構成され表示項目の選択、設定内容の切替え、ディジタル形保護継電装置１のリセット等の入力を行う操作部８１１、ディジタル形保護継電装置１による遮断器の動作状況（遮断器のオン、オフ）及びディジタル形保護継電装置１自身の異常等を点灯して示すランプ部６１を備える。
表示項目とは、表示部５１に表示する計測値や設定値のうちいずれの項目を表示しているのかを示すもので、例えば、計測中の電流値、電圧値等であることを示すものである。
ランプ部６１は通常複数のランプを有し、遮断器の動作信号を生成したかを含めディジタル形保護継電装置１自身の動作状況を表示していることになる。
横部または背面に設けられることもあるが、例えばＰＬＣ等の外部機器からの接点入力するための入力端子８１２及び外部の監視装置２等出力するための出力端子８１３を備える。
【００１６】
ディジタル形保護継電装置１が配電設備に搭載された場合を例にして、動作について説明する。
操作者は操作パネル８１の表示部５１に表示されている表示項目及びそれに対応した計測値、ランプ部６１の点灯状況等を確認する。表示部５１の表示内容を変更し、他の計測項目を確認する場合は、所望の表示項目が表示されるまで、操作部８１１のスイッチを押し続ける。例えば、表示部５１に表示されていた配電設備の所定箇所の電流値を電力量、力率と順に変更し確認する場合は、所定の表示項目が現われるまで操作部８１１のスイッチを押し続け、内容を確認する。配電設備の計測または監視を開始する場合は、計測内容の確認及び計測項目の表示が適切になるようにスイッチより入力し終了する。
ＰＬＣ等外部機器から入力する場合は、外部からの入力情報を変更し、入力端子８１２及び入力回路１２を介して、演算処理部２１からの信号により表示部５１の表示内容を設定する。
【００１７】
被保護機器である配電設備に故障等が発生し、遮断器がオンになった場合は、遮断器オンのランプ部６１の所定のランプが点灯する。操作者は、点灯しているランプ及び表示部５１の内容を確認するとともに、操作部８１１のスイッチを押し、表示部５１で内容を確認し、故障等の発生原因を探る。故障等が発生した場合は、故障電流、遮断器動作までの経過時間等の履歴が記憶装置２３に記録されており、その情報を読み出すことで発生原因の確認を行うことができる。
以上の動作は、通常のディジタル形保護継電装置１の具備する機能に基づくものである。
【００１８】
次に、上述の計測または監視開始時に設定した計測表示項目が表示部５１で変化した場合、それが人為的な操作によるものか否かを判断する手順について説明する。
図３は、本実施の形態１に係るディジタル形保護継電装置１の操作部の入力処理の記録手順を示すフローチャートである。
操作者により、例えば操作部８１１のスイッチが押されると入力回路１２でスイッチ動作について入力される（ステップＳ１１でＹｅｓ）。演算処理部２１は操作部８１１で入力された表示項目の種類と時刻を取得する（ステップＳ１２）。
配電設備の計測または監視を開始するまでは、表示内容の確認または点検設定動作のために、短時間でスイッチを繰り返し押す。そのため、操作部８１１の操作による表示項目を設定後その表示項目の状態で予め設定した所定時間経過すれば、計測または監視を開始させたと見做せる。ステップＳ１３では表示項目が所定時間変化しないことを確認する。予め設定した所定時間内に操作部８１１のスイッチが押されると（ステップＳ１３でＮｏ）、ステップＳ１２に戻り、新しく入力された表示項目の種類と時刻を取得する。表示項目が変化せず所定時間経過すると（ステップＳ１３でＹｅｓ）、演算処理部２１は変化しなかった表示項目の設定内容と入力時刻を記憶装置２３に記録し保存する（ステップＳ１４）。
【００１９】
操作部８１１のスイッチを押した瞬間に入力情報を記録すると、スイッチがチャタリングを発生させた場合、あるいはスイッチを押す、離す操作を連続で行った場合、高速に大量の情報を記憶装置２３に保存することになる。これを回避するために、所定時間経過後に入力情報を記録することが望ましい。
記憶装置２３に記録される内容は、例えば、いつ（入力時刻）、どのスイッチで計測中のどの表示項目を表示させる設定を行ったか等である。
表示項目が変化せず、計測または監視がスタートしたと見做す所定時間は、被保護機器及び操作者等に依存するが、数１０秒程度に設定すればよい。上述したように、表示内容の確認または点検設定動作には、短時間でスイッチを繰り返し押すので、数１０秒変化がないことを確認すればよい。設定された所定時間内に次の操作部８１１が操作され入力処理が行われれば、新しい表示項目で所定時間経過して記録するようにすればよい。
予め設定された所定時間経過後の表示内容の設定記録は、記憶装置２３の不揮発性メモリに行えばよい。例えば、２０回分のメモリ容量を持っていれば、順次書き込み、２１回目は１回目の箇所に上書きされるが、計測または監視を開始させた最新あるいは最新から数回分の情報が保存されていればよい。
【００２０】
次に、ＰＬＣ（Ｐｒｏｇｒａｍｍａｂｌｅ  Ｌｏｇｉｃ  Ｃｏｎｔｒｏｌｌｅｒ）等の外部機器からの接点入力により、表示項目の設定が行われる場合の入力処理の記録手順について説明する。図４は、本実施の形態１に係るディジタル形保護継電装置１への外部機器からの入力処理の記録手順を示すフローチャートである。
外部機器からの入力は入力回路１２で入力される（ステップＳ２１でＹｅｓ）。演算処理部２１は入力された表示項目の種類と時刻を取得する（ステップＳ２２）。表示項目の入力後予め設定した所定時間経過すると計測または監視を開始させたと見做されるので、表示項目が変化せず所定時間経過したことを確認する（ステップＳ２３でＹｅｓ）。演算処理部２１は変化しなかった表示項目の設定内容と入力時刻を記憶装置２３に記録し保存する（ステップＳ２４）。
所定時間内に外部からの入力が行われた場合、上述の操作部８１１からの入力と同様に、入力された情報と入力時刻の取得を繰り返えせばよく、不揮発性メモリを用いて、計測または監視を開始させた最新あるいは最新から数回分の情報が保存されればよい。
【００２１】
次に、被保護機器である配電設備の故障等でないにも関わらず、表示部５１の表示項目が設定から変化していた場合の原因の探索について説明する。
配電設備の故障等が発生した場合は、表示部５１に予め設定した表示項目以外が表示される場合がある。
配電設備の故障等でなく、計測または監視を開始させた時に設定していた表示項目から変化があった場合は、記憶装置２３に保存されている最新の表示項目の設定内容およびその入力時刻（以下、入力設定情報と称す）を読み出す。
設定していた表示項目の内容と時刻（以下、初期設定情報と称す）が読み出された内容と合致した場合は、ディジタル形保護継電装置１の異常が考えられる。
初期設定情報に対し、読み出された入力設定情報の内容と時刻が更新されていた場合、人為的な入力と判断できる。すなわち、当初計測または監視を開始させた時刻以降に操作部８１１から入力されたあるいは外部機器から入力されたことがわかる。また、記憶装置２３に保存されている入力設定情報を最新のものから順次読み出して、初期設定情報に合致するあるいは近い時刻まで遡れば、入力の経過も把握できる
【００２２】
次に、被保護機器である配電設備の故障等でないにも関わらず、ランプ部６１の点灯状態が変化した場合、それが人為的な操作によるものか否かを判断する手順について説明する。
図５は、本実施の形態１に係るディジタル形保護継電装置１への遮断器動作に関する入力処理の記録手順を示すフローチャートである。
操作者により、操作部８１１の強制遮断器動作スイッチが押されると入力回路１２でスイッチ動作について入力される（ステップＳ３１でＹｅｓ）。外部機器からの入力の場合も同様である。演算処理部２１は操作部８１１で入力された時刻を取得し、記憶装置２３に保存する（ステップＳ３２）。
【００２３】
例えば、被保護機器である配電設備及びディジタル形保護継電装置１の点検時には、強制遮断器動作スイッチを入力することがある。しかし、ディジタル形保護継電装置１自身の異常の可能性も否めない。従って、図５のように人為的操作による入力記録を保存しておけば、被保護機器である配電設備の故障等でないにも関わらず、ランプ部６１の点灯状態が変化した場合、入力記録を確認すれば、人為的操作によるものか判断可能となる。
なお、遮断器動作に関する入力以外にもランプ部６１を点灯させる入力があれば、図５に準じて入力情報と時刻を記録し保存する。
【００２４】
以上のように、実施の形態１によれば、計測または監視の開始時の操作部８１１からの入力あるいは外部機器から入力の情報を記録しているので、また操作部８１１からの入力あるいは外部機器からの入力によりランプを点灯させる入力情報を記録しているので、ディジタル形保護継電装置の表示変化が人為的操作によるものか、装置の異常動作によるものか確認可能なディジタル形保護継電装置を提供できる。
【００２５】
実施の形態２．
本実施の形態では、実施の形態１の操作部８１１からの入力あるいは外部機器からの入力の情報の記録に加え、演算処理部２１または出力回路３１からの出力信号の情報を記録し利用する例について説明する。
【００２６】
表示部５１へ出力される表示信号またはランプ部６１へ出力される点灯信号は、演算処理部２１の指令により生成される。異常時でなければ、実施の形態１で説明した、操作部８１１からの入力あるいは外部機器からの入力と表示部５１に表示された表示項目は整合する。すなわち、操作部８１１からの入力あるいは外部機器から接点入力により、演算処理部２１は対応する表示部５１の表示項目の信号を生成する。
従って、演算処理部２１における表示部５１の表示項目の信号生成を記録し、操作部８１１からの入力あるいは外部機器から接点入力の記録と比較すればよい。この演算処理部２１における表示部５１の表示項目の信号生成の記録は表示部５１の表示項目の変更の記録に相当する。
【００２７】
図６は、本実施の形態２に係るディジタル形保護継電装置１の表示項目変更の記録手順を示すフローチャートである。
表示部５１の表示項目を変更する場合すなわち演算処理部２１で表示部５１に対する新たな信号が生成された場合（ステップＳ４１においてＹｅｓ）、変更時刻と変更後の表示項目と表示値等の情報を保存し、記憶装置２３に記録し保存する（ステップＳ４２）。保存される情報は演算処理部２１の生成した表示項目の設定内容の関する信号およびその出力時刻に相当する。
記録は、記憶装置２３の不揮発性メモリを用いて、例えば２０回分の記録の保存ができればよい。変化の都度に記録していても、計測または監視の開始時からの記録が保存されていればよい。また、実施の形態１で説明した計測または監視の開始時と判断される時刻に同期して記録を残すようにすれば、メモリへの書き込み回数が減らせ、演算処理部２１の負荷を低減できる。
【００２８】
次に、被保護機器である配電設備の故障等でないにも関わらず、表示部５１の表示項目が設定から変更されていた場合の原因の探索について説明する。
配電設備の故障等が発生した場合は、表示部５１に予め設定した表示項目以外が表示される場合がある。
配電設備の故障等でなく、計測または監視を開始させた時の初期設定情報から表示部５１に変化があった場合は、記憶装置２３に記録されている表示項目の設定内容およびその入力時刻（入力設定情報）を読み出す。さらに、記憶装置２３に記録されている演算処理部２１の生成した表示項目の設定内容およびその出力時刻（以下、出力設定情報と称す）を読み出す。
【００２９】
設定していた表示項目の内容と時刻（初期設定情報）が読み出された入力設定情報と合致した場合は、ディジタル形保護継電装置１の異常が考えられる。この時、読み出された入力設定情報と出力設定情報を比較する。読み出された入力設定情報と出力設定情報が同時刻で異なる設定情報である場合は、例えば、原因の１つに演算処理部２１の信号生成に問題があると考えられる。読み出された入力設定情報から時間経過後に入力設定情報と異なる出力設定情報の信号が生成された場合は信号生成のトリガーの原因を探ることになる。
【００３０】
初期設定情報に対し、読み出された入力設定情報が更新されていた場合、人為的な入力と判断できる。すなわち、当初の計測または監視を開始させた時刻以降に操作部８１１から入力されたあるいは外部機器から接点入力されたことがわかる。
この時、読み出された入力設定情報と出力設定情報を比較する。読み出された入力設定情報と出力設定情報が同時刻で同じ設定情報である場合は、操作部８１１からの入力あるいは外部機器からの入力により、演算処理部２１が対応する表示部５１の表示項目の信号を生成したことが検証される。
【００３１】
また、ランプ部６１へ出力される点灯信号も、演算処理部２１の指令により生成される。そのため、操作部８１１からの入力あるいは外部機器から遮断器動作の入力があれば、演算処理部２１の指令により生成された信号により所定のランプ部６１は点灯する。そのため、出力信号の生成記録を保存すれば、配電設備の故障等との関連の有無を確認することができる。
図６において、表示項目の変更記録を、ランプ部の点灯状態変更記録と読み替えて、ランプ部の点灯状態の記録手順について説明する。
ステップＳ４１で、点灯状態を変更する場合すなわち演算処理部２１でランプ部６１に対する新たな点灯信号が生成された場合（ステップＳ４１においてＹｅｓ）、変更時刻と変更後のランプの種類、点灯項目等の情報を取得し、記憶装置２３に記録し保存する（ステップＳ４２）。ランプ部６１への点灯信号は演算処理部２１での判定結果に基づく場合もあり、その場合は、判定結果の情報も記録し保存する。
記録は、上述の表示部５１への表示信号の場合と同様に、記憶装置２３の不揮発性メモリを用いて、例えば２０回分の記録の保存ができればよい。変化の都度に記録していても、計測または監視の開始時からの記録が保存されていればよい。また、実施の形態１で説明した計測または監視の開始時と判断される時刻に同期して記録を残すようにすれば、メモリへの書き込み回数が減らせ、演算処理部２１の負荷を低減できる。
【００３２】
次に、被保護機器である配電設備の故障等でないにも関わらず、ランプ部６１の点灯状態が変化した場合、それが人為的な操作によるものか否かを判断する手順について説明する。
配電設備の故障等が発生した場合は、遮断器が動作する等により所定のランプ部６１が点灯する。
ランプ部６１にはディジタル形保護継電装置１自身の異常等を示すものがあるので、ディジタル形保護継電装置１自身の異常でなくかつ配電設備の故障等でない場合、ランプ部６１の点灯状態が変化があった場合は、記憶装置２３に記録されているランプ部６１への入力情報を読み出す。さらに、記憶装置２３に記録されている演算処理部２１の生成したランプ部６１への信号出力情報を読み出す。ランプ部６１への入力情報と出力情報が合致すれば、人為的操作によるものと判断できる。
【００３３】
また、出力回路３１は演算処理部２１の動作判定結果に基づき、遮断器に具備された開閉器を動作させるために継電器４１に動作信号を出力するが、この信号の生成記録を保存すれば、配電設備の故障等との関連の有無を確認することができる。
図７は、本実施の形態２に係るディジタル形保護継電装置１の出力回路で遮断器の接点動作信号が生成された時の記録手順を示すフローチャートである。
図において、出力回路３１で開閉器を動作させるための接点信号が生成された場合（ステップＳ５１においてＹｅｓ）、演算処理部２１の判定結果と、信号生成時刻の情報を取得し、記憶装置２３に記録し保存する（ステップＳ５２）。保存される時刻情報は開閉器の動作時刻に相当する。
【００３４】
次に、被保護機器である配電設備の故障等でないにも関わらず、表示部５１の表示項目が設定から変化していた場合の原因の探索において、故障発生情報の活用について説明する。
配電設備の故障等でなく、計測または監視を開始させた時に設定していた表示項目から変化があった場合は、記憶装置２３に記録されている表示項目の設定内容およびその入力時刻（入力設定情報）、記憶装置２３に記録されている演算処理部２１の生成した表示項目の設定内容およびその出力時刻（出力設定情報）及び故障発生情報を読み出す。
設定していた表示項目の内容と時刻（初期設定情報）、読み出された入力設定情報及び出力設定情報と対比する際に、故障発生情報を参照すれば表示項目の変化があった期間に配電設備の故障等が発生していないことを確認することができる。
【００３５】
なお、被保護機器である配電設備の故障等でないにも関わらず、ランプ部６１の点灯状態が変化していた場合の原因の探索においても、上記故障発生情報を活用することができる。
【００３６】
以上のように、実施の形態２によれば、実施の形態１と同様の効果を奏する。すなわち、ディジタル形保護継電装置の表示変化が人為的操作によるものか、装置の異常動作によるものか確認可能なディジタル形保護継電装置を提供することができる。
【００３７】
なお、上述の実施の形態１、２において、表示部５１への表示信号及びランプ部６１への点灯信号は入力回路１２から入力された信号により演算処理部２１で生成するが、演算処理部２１の動作判定結果に基づき遮断器に具備された開閉器を動作させるための動作信号は出力回路３１で生成するようにしている。三者とも演算処理部２１で生成してもよいし、出力回路３１で生成してもよい。
【００３８】
上述の実施の形態１、２において、操作パネル８１の操作部８１１のスイッチ入力を例示したが、表示部５１がタッチパネル式の表示部であれば、表示部と操作部を兼ねることができる。
【００３９】
また、上述の実施の形態１、２において、入力設定情報及び出力設定情報等の記録を記憶装置２３に保存し、適宜読み出すようにしたが、表示部５１に表示するようにしてもよい。少なくとも、入力設定情報の最新の入力時刻を表示するようにしておけば、操作者は表示部５１の最新の入力時刻を確認することで、何らかの入力があったと推察できるようになる。
【００４０】
上述の実施の形態１、２において、ディジタル形保護継電装置１の保護対象を配電設備の例で説明したが、これに限ることはなく、モータ等の保護、監視にも適用できる。
【００４１】
本開示は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４２】
１：ディジタル形保護継電装置、  ２：監視装置、１１、１２：入力回路、  ２１：演算処理部、２３：記憶装置、  ３１：出力回路、  ４１：継電器（Ｒｙ）、５１：表示部、  ６１：ランプ部、  ７１：通信回路、  ８１：操作パネル、８１１：操作部、  ８１２：入力端子、  ８１３：出力端子
【図１】
2019171583.tif 000003
【図２】
2019171583.tif 000004
【図３】
2019171583.tif 000005
【図４】
2019171583.tif 000006
【図５】
2019171583.tif 000007
【図６】
2019171583.tif 000008
【図７】
2019171583.tif 000009
【国際調査報告】
2019171583.tif 000010
2019171583.tif 000011
2019171583.tif 000012
2019171583.tif 000013